(57)【要約】【課題】  バイオマスを効果的にガス化して生成した混合ガスを用いた、バイオマスのジメチルエーテルへの変換率の高い、一体化したバイオマスによるジメチルエーテルの製造方法を提供すること。【解決手段】  バイオマスを熱化学的に分解して水素、一酸化炭素、二酸化炭素を生成し、それらを用いてジメチルエーテルを合成するバイオマスによるジメチルエーテルの製造方法であって、バイオマスを水蒸気と反応させて熱化学的に分解するバイオマスガス化工程と、該バイオマスガス化工程で生じた水素、一酸化炭素、二酸化炭素混合ガス中のタールを１５０〜５００℃（４２３〜７７３Ｋ）の温度範囲にある活性炭を用いて除去する混合ガス精製工程と、精製された混合ガスをジメチルエーテル合成触媒上で反応させてジメチルエーテルを合成するジメチルエーテル合成工程、とを設けた。【選択図】  図１
2005289856.tif 000002
【特許請求の範囲】
【請求項１】
バイオマスを熱化学的に分解することにより水素及び一酸化炭素を生成し、それらを用いてジメチルエーテルを合成するバイオマスによるジメチルエーテルの製造方法であって、
バイオマスをガス化触媒存在下、５００〜９００℃（７７３〜１１７３Ｋ）の温度範囲で水蒸気と反応させて熱化学的に分解するバイオマスガス化工程と、
該バイオマスガス化工程で生成した水素、一酸化炭素、二酸化炭素混合ガス中に含まれるタール分を活性炭で除去する混合ガス精製工程と、
該混合ガス精製工程で精製された水素、一酸化炭素、二酸化炭素混合ガスをジメチルエーテル合成触媒上で反応させてジメチルエーテルを合成するジメチルエーテル合成工程と、
を備えることを特徴とするバイオマスによるジメチルエーテルの製造方法。
【請求項２】
バイオマスを熱化学的に分解して水素、一酸化炭素、二酸化炭素を生成し、それらを用いてジメチルエーテルを合成するバイオマスによるジメチルエーテルの製造方法であって、
バイオマスを８００〜１１００℃（１０７３〜１３７３Ｋ）の温度範囲で水蒸気と反応させて熱化学的に分解するバイオマスガス化工程と、
該バイオマスガス化工程で生成した水素、一酸化炭素、二酸化炭素混合ガス中に含まれるタールを水蒸気改質触媒上で該水蒸気により水素及び一酸化炭素に改質するタール改質工程と、
未反応のタール分を活性炭で除去する混合ガス精製工程と、
該混合ガス精製工程で精製された水素、一酸化炭素、二酸化炭素混合ガスをジメチルエーテル合成触媒上で反応させてジメチルエーテルを合成するジメチルエーテル合成工程と、
を備えることを特徴とするバイオマスによるジメチルエーテルの製造方法。
【請求項３】
前記タールを除去する混合ガス精製工程において、活性炭の比表面積が１００ｍ２／ｇ以上で、且つ平均細孔径が０．１ｎｍ以上であるあることを特徴とする請求項１又は２記載のバイオマスによるジメチルエーテルの製造方法。
【請求項４】
前記タールを除去する混合ガス精製工程において、タールを除去する時の活性炭が１５０〜５００℃（４２３〜７７３Ｋ）の温度範囲であることを特徴とする請求項１ないし３記載のバイオマスによるジメチルエーテルの製造方法。
【請求項５】
前記ジメチルエーテル合成工程において、水素、一酸化炭素、二酸化炭素混合ガスを１〜１０ＭＰａに加圧し、１５０〜４００℃（４２３〜６７３Ｋ）の温度範囲で反応させることを特徴とする請求項１ないし４記載のバイオマスによるジメチルエーテルの製造方法。
【請求項６】
前記バイオマスガス化工程において、バイオマスと水蒸気及び酸素とを反応させることを特徴とする請求項１ないし２記載のバイオマスによるジメチルエーテルの製造方法。
【請求項７】
前記バイオマスガス化工程において供給する酸素は、供給バイオマス中の炭素のモル数［Ｃ］に対する酸素のモル数［Ｏ２］の比［Ｏ２］／［Ｃ］が０．５以下であることを特徴とする請求項６記載のバイオマスによるジメチルエーテルの製造方法。
【発明の詳細な説明】
【技術分野】
【０００１】
本発明は、バイオマスによるジメチルエーテルの製造方法に関し、更に詳しくは、バイオマスを効果的にガス化して生成した混合ガスを用いた、バイオマスのジメチルエーテルへの変換率の高い、バイオマスによるジメチルエーテルの製造方法に関する。
【背景技術】
【０００２】
従来から、森林や農産物、海藻・魚介類等、及びそれらを利用した後の有機性廃棄物よりなる生物由来の有機資源（バイオマス）を、エネルギーや工業原材料等に変換するバイオマス変換技術の開発が進んでいる。
最近は、バイオマスをガス化して水素などのガス燃料製造や、メタノール、ジメチルエーテルなどの液体燃料を製造する方法が提案されている。
【０００３】
反応器でバイオマスを熱化学的に分解してガス化すると、一般的には水素、一酸化炭素、及び二酸化炭素などを含有する混合ガスとタール分（すなわち炭素を主成分とする固形や液状の物質）などが生成される。
通常、バイオマスのガス化においては、空気、酸素、水蒸気及びこれらの組み合わせたものがガス化剤として用いられる。
例えば、水をガス化剤として用いた場合のバイオマスの熱化学的分解では、主に次の４つの化学反応によりバイオマス（ＣｘＨｙＯｚ）が水素、一酸化炭素などに分解すると考えられている。
【０００４】
ＣｘＨｙＯｚ→（ｘ−ｚ）Ｃ＋ｚＣＯ＋（ｙ／２）Ｈ２…（１）
Ｃ＋Ｈ２Ｏ→Ｈ２＋ＣＯ…（２）
ＣＯ＋Ｈ２Ｏ→ＣＯ２＋Ｈ２…（３）
Ｃ＋ＣＯ２→２ＣＯ…（４）
【０００５】
このように、先ずバイオマス（ＣｘＨｙＯｚ）自体が熱分解して水素（Ｈ２）や一酸化炭素（ＣＯ）を生成させ[ 式（１）] 、分解生成物であるタール分（Ｃ）や一酸化炭素と水蒸気（Ｈ２Ｏ）とが反応して更に水素や一酸化炭素を生成させ[ 式（２）及び式（３）] 、式（３）の反応により生じた二酸化炭素（ＣＯ２）は式（１）の反応で生成したＣと反応して更に一酸化炭素を生成させる[ 式（４）]。
因みに、式（３）の反応は平衡反応であるが、上記の条件では水蒸気が多量に存在し、二酸化炭素は式（４）の反応により一酸化炭素になって減少するため、反応が右向きに進む。
【０００６】
また、他のガス化剤を用いた場合にも、バイオマスの熱化学的分解により水素、一酸化炭素、二酸化炭素などを含有する混合ガスとタール分などが得られる。
バイオマスのガス化により直接水素ガス燃料を合成することもでき、バイオマスから生成された水素、一酸化炭素、二酸化炭素混合ガスから、触媒を用いて下記の化学反応によりジメチルエーテル（ＣＨ３ＯＣＨ３）やメタノール（ＣＨ３ＯＨ）などの燃料を合成することもできる。
【０００７】
２Ｈ２＋ＣＯ→ＣＨ３ＯＨ…（５）
３Ｈ２＋ＣＯ２→ＣＨ３ＯＨ＋Ｈ２Ｏ…（６）
２ＣＨ３ＯＨ→ＣＨ３ＯＣＨ３＋Ｈ２Ｏ…（７）
【０００８】
しかし、水蒸気によるガス化では上記の式（２）の反応は進むものの、一般にバイオマスの熱化学的分解では、式（１）の反応で比較的多量のタール分が生成され、このタール分は、水素、一酸化炭素などの混合ガスに含まれた状態で混合ガスと共に装置内を移動し、種々の装置の内部等に付着して、装置の機能の低下や目詰まり等の原因となり易いという問題が起こる。
【０００９】
バイオマスのガス化に対しては、天然ガス（例えばメタンガス）の燃焼により発生・生成する熱と二酸化炭素を用いてバイオマスを熱化学的に分解する方法が提案され（例えば特許文献１参照）、バイオマスの熱化学的分解の際に二酸化炭素が存在するので、上記の式（４）の反応が促進されて、式中のＣ、すなわち主にタール分の発生量が減少すると期待されたが、実際には、この方法によっても、タール分の発生量が必ずしも明らかに減少しているとは言えない。
【００１０】
また、これまでも、ガス中に含まれるタール分を直接除去する方法が、各種ガスにおいて検討されている（非特許文献１，２）。
ガス中に含まれるタール分を１３０℃（４０３Ｋ）以下の低温で水冷や吸着によって直接除去する方法や、６００〜９００℃（８７３〜１１７３Ｋ）という高温で、γ- アルミナやＺｒＯ２にＮｉ、Ｆｅ、ＣｕやＰｄを担持した金属触媒を用いてタールを分解する方法がある（非特許文献３，４，５，６）。
しかし、１３０℃（４０３Ｋ）以下でのタール除去法を用いると、ガス燃料となる有効なガス成分や、液体燃料合成に有効なガス成分を吸着除去してしまう可能性がある。
また、ジメチルエーテル合成に使用するためには、冷却した混合ガスを再び昇温する必要があるため、トータルプロセスのエネルギー効率の観点から好ましくない。
後者の高温でのタール除去では、触媒層を高温に保つためのエネルギーの投入が必要となる。
【００１１】
γ- アルミナにＮｉを担持した触媒を用いた場合、ドロマイトと比較して、バイオマスはより低温（５００〜８００℃（７７３〜１０７３Ｋ））でガス化され、ガス化率は向上し、ほとんど完全にタール生成を抑制することが可能であることが示された。
しかし、反応中に触媒表面上への炭素析出により、長期的なガス化では触媒の特性低下をもたらす問題点もあると言われている。
また、最近はＲｈ／ＣｅＯ２系のガス化触媒も、より低温で高いバイオマスガス化特性を持つことから、特にＲｈ- ＣｅＯ２／ＳｉＯ２触媒は耐久性も高いと報告されている（非特許文献７，８参照）。
【００１２】
【特許文献１】特開平７−４１７６７号公報
【特許文献２】特開平１０−２５９３８４号公報
【非特許文献１】P. Hasler and Th Nussbaumer, Biomass and Bioenergy,16, 385-395 (1999)
【非特許文献２】L. Devi, K. J. Ptasinski, F. J. J. G. Janssen, Biomass and Bioenergy, 24, 125-140 (2003)
【非特許文献３】J. Arauzo, D. Radlein, J. Piskorz, D. S. Scott, Ind. Eng. Chem. Res., 36, 67-75 (1997)
【非特許文献４】L. Garcia, M. L. Salvador, J. Arauzo, R. Bilbao, J. Anal. Appl. Pyrolysis, 58-59, 491-501 (2001)
【非特許文献５】C. Myren, C. H rnell, E. Bj rnbom, K. Sjs trom, Biomass and Bioenergy, 23, 217-227 (2002)
【非特許文献６】Y. Tanaka, T. Yamaguchi, K. Yamasaki, A. Ueno, Y. Kotera, Ind. Eng. Chem. Res. Dev., 23 (2), 225-229 (1984)
【非特許文献７】M. Asadullah, S. Ito, K. Kunimori, M. Yamada, K. Tomishige, Environ. Sci. Technol., 36, 4476-4481 (2002)
【非特許文献８】M. Asadullah, T. Miyazawa, S. Ito, K. Kunimori, K. Tomishige, Energy & Fuels, 17, 842-849 (2003)
【発明の開示】
【発明が解決しようとする課題】
【００１３】
バイオマスをガス化して、ジメチルエーテルを効果的に製造するには、先ず、バイオマスを効果的にガス化し、種々の装置の内部等に付着して装置の機能の低下や目詰まり等の原因となり易いタールの生成を抑えることが重要である。
バイオマスをガス化する際にガス化触媒を用いると、タールの生成は抑制され、バイオマスのガス化率が向上することは知られている（非特許文献６参照）が、長時間のガス化ではその触媒特性の低下が見られて、ガス化率は低下してタールの生成が見られる。
また、バイオマスのガス化時生成する混合ガス中のタールを、水蒸気改質触媒上で水蒸気と反応させて、タール分を水素や一酸化炭素に改質し、ガス化率を向上させ、タールを減らすこともできる。
しかし、この場合も、長時間、触媒特性を保持することは難しい。
【００１４】
従って、バイオマスをガス化してジメチルエーテルの製造をするには、常にバイオマスのガス化で生成する混合ガス中のタールを除去する混合ガス精製工程を有するのが好ましい。
また、この混合ガス精製工程では、バイオマスのガス化で生成された有効な混合ガス成分を無駄なくジメチルエーテルの製造に利用できるようにして、バイオマスのガス化時生成したタールを効果的に除去することが重要である。
しかし、上記の混合ガスを冷却し、１３０℃（４０３Ｋ）以下で行うタール除去法は、タールの除去は効果的になされるかもしれないが、バイオマスのガス化で生成されジメチルエーテル合成に有効な混合ガス成分も一緒に吸着除去してしまうので好ましくない。
その上、ジメチエーテル合成時には混合ガスの加熱が必要になる。
また、後のタール除去法は、高温にしなければならないため好ましくない。
【００１５】
このため、バイオマスをガス化して、生成する混合ガスをジメチルエーテル製造に効果的に利用するには、バイオマスを効果的にガス化し、タール生成を抑えるガス化工程と、生成した混合ガスを加温或いは冷却しないでタールを除去する混合ガス精製工程とを設けて、できるだけバイオマスのガス化率を向上させ、装置の機能の低下や目詰まり等の原因となり易いタールの生成を抑え且つ生成したタール除去を簡便に行うのが重要である。
従って、バイオマスをガス化して効果的にジメチルエーテルに変換するには、バイオマスを効果的にガス化して、タール発生を抑え、ガス化率を向上するガス化工程と、ガス化で生成された有効な混合ガス成分を減少させず、且つガス成分に悪影響を及ぼさないで、ガス化時同時に生成するタールを効果的に除去する混合ガス精製工程とを組み合わせるのが好ましい。
【００１６】
このためには、バイオマスを効果的にガス化して、生成した混合ガス中にタール分を含まないようにするために、ガス化触媒下でバイオマスをガス化する工程と、バイオマスをガス化して、生成した混合ガスを特に冷却することなく、特定の温度領域で混合ガスからタールのみを除去する混合ガス精製工程とを有するのが好ましい。
ガス化触媒を用いない場合は、バイオマスガス化工程と、ガス化後にタールを水蒸気改質触媒で水素や一酸化炭素に改質するタール改質工程とを有するのが好ましい。
ガス化触媒を用いたバイオマスガス化工程後、又はガス化触媒を用いないタール改質工程後は、特定の温度領域で混合ガスを処理して、タールを確実に除去して、混合ガスを容易にジメチルエーテル製造に利用することが可能になれば、有機廃棄物の有効利用や装置の機能性の向上、製造コストの観点からも好ましい。
【００１７】
本発明は、かかる実状を背景に、上記の問題点を克服するためになされたものである。
すなわち、本発明の目的は、バイオマスを効果的にガス化して、タール生成を抑える工程（ガス化触媒によるバイオマスガス化工程、又はガス化触媒を用いないバイオマスガス化工程＋水蒸気改質触媒によるタール改質工程）と、生成された混合ガスを加温或いは冷却せず、且つジメチルエーテル合成に有効な混合ガス成分を減少させずに、混合ガス中のタールのみを効果的に除去することができる混合ガス精製工程とを有する機能性の高いバイオマスによるジメチルエーテルの製造方法を提供することである。
【課題を解決するための手段】
【００１８】
かくして、本発明者は、このような課題を背景に対して、鋭意研究を重ねた結果、バイオマスをガス化触媒存在下で水蒸気などのガス化剤と特定の温度範囲で反応させて効果的にガス化した後、又はガス化触媒を用いずバイオマスを水蒸気などのガス化剤と特定の温度範囲で反応させて熱化学的に分解してガス化した後で、生成した水素、一酸化炭素、二酸化炭素混合ガス中に含まれるタールを水蒸気改質触媒を用いて水素及び一酸化炭素に改質し、これらの混合ガスを特定の比表面積及び平均細孔径を持つ特定の活性炭を用いて、特定の温度範囲で処理すれば、ジメチルエーテル合成に有効な混合ガス成分を減少させずにタールを効果的に除去することができることを見出した。
これらの知見に基づいて本発明を完成させたものである。
【００１９】
すなわち、本発明は、（１）、バイオマスを熱化学的に分解することにより水素及び一酸化炭素を生成し、それらを用いてジメチルエーテルを合成するバイオマスによるジメチルエーテルの製造方法であって、バイオマスをガス化触媒存在下、５００〜９００℃（７７３〜１１７３Ｋ）の温度範囲で水蒸気と反応させて熱化学的に分解するバイオマスガス化工程と、該バイオマスガス化工程で生成した水素、一酸化炭素、二酸化炭素混合ガス中に含まれるタール分を活性炭で除去する混合ガス精製工程と、該混合ガス精製工程で精製された水素、一酸化炭素、二酸化炭素混合ガスをジメチルエーテル合成触媒上で反応させてジメチルエーテルを合成するジメチルエーテル合成工程と、を備えるバイオマスによるジメチルエーテルの製造方法に存する。
【００２０】
そしてまた、（２）、バイオマスを熱化学的に分解して水素、一酸化炭素、二酸化炭素を生成し、それらを用いてジメチルエーテルを合成するバイオマスによるジメチルエーテルの製造方法であって、バイオマスを８００〜１１００℃（１０７３〜１３７３Ｋ）の温度範囲で水蒸気と反応させて熱化学的に分解するバイオマスガス化工程と、該バイオマスガス化工程で生成した水素、一酸化炭素、二酸化炭素混合ガス中に含まれるタールを水蒸気改質触媒上で該水蒸気により水素及び一酸化炭素に改質するタール改質工程と、未反応のタール分を活性炭で除去する混合ガス精製工程と、該混合ガス精製工程で精製された水素、一酸化炭素、二酸化炭素混合ガスをジメチルエーテル合成触媒上で反応させてジメチルエーテルを合成するジメチルエーテル合成工程と、を備えるバイオマスによるジメチルエーテルの製造方法に存する。
【００２１】
そしてまた、（３）、前記タールを除去する混合ガス精製工程において、活性炭の比表面積が１００ｍ２／ｇ以上で、且つ平均細孔径が０．１ｎｍ以上である上記（１）又は（２）記載のバイオマスによるジメチルエーテルの製造方法に存する。
【００２２】
そしてまた、（４）、前記タールを除去する混合ガス精製工程において、タールを除去する時の活性炭が１５０〜５００℃（４２３〜７７３Ｋ）の温度範囲である上記（１）ないし（３）記載のバイオマスによるジメチルエーテルの製造方法に存する。
【００２３】
そしてまた、（５）、前記ジメチルエーテル合成工程において、水素、一酸化炭素、二酸化炭素混合ガスを１〜１０ＭＰａに加圧し、１５０〜４００℃（４２３〜６７３Ｋ）の温度範囲で反応させる上記（１）ないし（４）記載のバイオマスによるジメチルエーテルの製造方法に存する。
【００２４】
そしてまた、（６）、前記バイオマスガス化工程において、バイオマスと水蒸気及び酸素とを反応させる上記（１）ないし（２）記載のバイオマスによるジメチルエーテルの製造方法に存する。
【００２５】
そしてまた、（７）、前記バイオマスガス化工程において供給する酸素は、供給バイオマス中の炭素のモル数［Ｃ］に対する酸素のモル数［Ｏ２］の比［Ｏ２］／［Ｃ］が０．５以下である上記（６記載のバイオマスによるジメチルエーテルの製造方法に存する。
【００２６】
本発明はこの目的に沿ったものであれば、上記１〜７の中から選ばれた２つ以上を組み合わせた構成も当然採用可能である。
【発明の効果】
【００２７】
本発明によれば、ガス化触媒存在下でのバイオマスガス化工程と、バイオマスガス工程後の水素や一酸化炭素等の混合ガスに含まれるタールを除去する混合ガス精製工程とにより、バイオマスのガス化率を高め、タール生成を抑制することができる。
その上、ガス化時生成するタールを１５０〜５００℃（４２３〜７７３Ｋ）の温度領域で効果的に除去することにより、混合ガスを効果的にジメチルエーテル合成に使用することができて、バイオマスのジメチルエーテルへの変換率を高めることができる。
これらの結果は、有機廃棄物の有効利用や装置機能の低下や目詰まり等を低減させる効果の観点からも好ましい。
また、１５０〜５００℃（４２３〜７７３Ｋ）の温度領域でのタール除去により混合ガスの精製ができるので、バイオマスからジメチルエーテルを合成する一体化システムのエネルギー効率の観点からも好ましい。
【発明を実施するための最良の形態】
【００２８】
以下、図面に基づいて、本発明のバイオマスによるジメチルエーテルの製造方法の好適な実施の形態について述べる。
[ バイオマスによるジメチルエーテルの製造方法の説明（第１実施形態）] 
図１は、バイオマスをガス化触媒存在下、熱化学的にガス化するバイオマスガス化工程と、バイオマスのガス化で生成される混合ガス中に含まれるタール分を除去する混合ガス精製工程と、ジメチルエーテル合成工程とからなるバイオマスによるジメチルエーテルの製造方法を示している。
【００２９】
そして、第１実施形態のバイオマスによるジメチルエーテルの製造方法は、バイオマスをガス化触媒存在下で熱化学的にガス化するバイオマスガス化工程Ａと、バイオマスから生成される水素、一酸化炭素、二酸化炭素混合ガス中に含まれるタール分を活性炭で除去する混合ガス精製工程Ｂと、精製された水素、一酸化炭素、二酸化炭素混合ガスをジメチルエーテル合成触媒上で反応させてジメチルエーテルを合成するジメチルエーテル合成工程Ｃとを備えることを特徴とする。
【００３０】
（バイオマスガス化工程Ａ）
図１に示すバイオマスガス化工程Ａでは、バイオマスを水蒸気（又は水蒸気と酸素）ともにガス化炉２に供給して加熱して、先述した式（１）〜式（４）等の化学反応により熱化学的に分解してガス化させる。
より具体的に言えば、例えばスクリューフィーダー等の供給手段１から固形状（例えば木粉状）のバイオマスがガス化炉２に供給される。
【００３１】
その際、過剰に酸素を供給してしまうと、バイオマスガス化行程で消費されなかった酸素がガス捕集バックまで運ばれ、その後、これを用いて例えばジメチルエーテル等を合成するのに、ジメチルエーテル合成触媒中の銅（Ｃｕ）を酸化して触媒を失活させてしまう場合がある。
それを避けるためには、バイオマスガス化条件において、酸素を部分酸化反応条件（［Ｏ２］／［Ｃ］<１）で供給することが必要となる。
【００３２】
ガス化炉２は、石英管３を電気炉４で取り囲んだ構成をしている。
そして、バイオマスがガス化しないうちに石英管３内を落下させてしまうのを防止するために、ガス化炉２の石英管３の内部に目皿５（すなわち複数の目を有する受け皿状のもの）が配置されている。
【００３３】
バイオマスは、供給手段１から供給されると、目皿５上に堆積する。
そして、そこに水蒸気が供給されると、先述した式（１）〜式（４）等の化学反応が起こって、バイオマスが熱化学的に分解されるのである。
その際、ガス化炉２の温度を５００〜９００℃（７７３〜１１７３Ｋ）に保っておけば、バイオマスと水蒸気とがこの温度範囲まで加熱される。
【００３４】
この温度範囲であれば、反応効率の観点から、上記式（１）〜式（４）の反応が効率良く進行することが分かっており、好ましい。
ガス化触媒をガス化炉２内に保持すると更に効果的であるが、そうしない場合はガス化炉２の温度を高温（８００〜１１００℃（１０７３〜１３７３Ｋ））に保っておくのが良い。
ガス化炉２としては、大きく分けて固定床型、流動床型や浮遊床型があり、どのガス化炉２も可能であるが、熱化学的にバイオマスをガス化する方法としては、気固接触が良好で、炉内温度が一定であり、その上、大量生産に適している流動床炉が好ましい。
【００３５】
ガス化触媒としては、従来公にされているＣｅ，Ｍｇ，Ｚｒ，Ａｌの金属酸化物触媒、及びγ- アルミナにＶ，Ｍｎ，Ｃｏ，Ｎｉ，Ｆｅ，Ｃｕ，又はＭｏを担持した金属触媒（非特許文献６）、及びγ- アルミナ、シリカ（ＳｉＯ２）、セリア（ＣｅＯ２）、マグネシア（ＭｇＯ）にＰｔ，Ｒｕ，Ｒｈを担持した金属触媒（非特許文献７、８）、α- アルミナにＮｉ，Ｎｉ- Ｃｅ，Ｐｔ，Ｐｔ- Ｃｅ，Ｒｈ，Ｒｈ- Ｃｅなどを担持した金属触媒を粒状で使用するのが好ましい。
【００３６】
特に、バイオマスのガス化を流動床炉で行うと、これらの触媒上でのタールの改質反応や触媒上に蓄積する炭素の酸化が容易になり、ガス化率が向上するばかりでなく、触媒の耐久性も向上する。
また、α- アルミナにＮｉ，Ｎｉ- Ｃｅ，Ｐｔ，Ｐｔ- Ｃｅ，Ｒｈ，Ｒｈ- Ｃｅを担持した金属触媒は、初期特性は低いが、耐久性が高いので安定したガス化が達成されるので実用的には好ましい。
ガス化炉２の温度は熱電対６によって温度管理されている。
上記温度範囲でバイオマスと水蒸気（又は水素と酸素）の反応が良好に進み、バイオマスは熱化学的に分解されて完全にガス化される。
【００３７】
バイオマスの熱化学的分解により生成したＨ２及びＣＯを含有するガス、すなわちＨ２・ＣＯ混合ガスは、目皿５の目を通過して、次の混合ガス精製工程Ｂに移動する。
その際、混合気体の温度が低下しないように、すなわち保温状態で移送することができるように、配管等は断熱性のあるものを用いると良い。
なお、Ｈ２・ＣＯ混合ガスにはガス状の（すなわち気化した状態の）タール分が含まれる。
【００３８】
( 混合ガス精製工程Ｂ) 
混合ガス精製工程Ｂは、本発明独特の工程であり、バイオマスガス化工程Ａで生成した水素、一酸化炭素、二酸化炭素混合ガス中に含まれるガス状のタール分を、活性炭（炭素質物質）７上で水蒸気によりＨ２及びＣＯに改質するのを特徴とする。
【００３９】
具体的には、バイオマスガス化工程Ａで生成された混合ガスを比表面積が１００ｍ２／ｇ以上で、且つ平均細孔径が０．１ｎｍ以上であり、１５０〜５００℃（４２３〜７７３Ｋ）に保たれた活性炭７の層を通過させることにより、バイオマスから生成される混合ガス中に含まれるタールのみが効果的に除去されて、タールを含まない精製されたガス燃料を製造することができることを特徴とする。
効果的にタールを除去するには、より望ましくは、活性炭７の比表面積は５００ｍ２／ｇ以上で、且つ平均細孔径が０．５ｎｍ以上であるのが良い。
【００４０】
この図１に示す構成例では、混合ガス精製工程Ｂが上記のバイオマスガス化工程Ａに連続した状態で設けられている。
つまり、ガス化炉２の石英管３がそのまま下方に延設され、それを電気炉４で取り囲み、石英管３の内部には活性炭７が配置されている。
【００４１】
タール分の除去機構としては、先ず活性炭７が、キャリアガスによりバイオマスガス化工程Ａから運ばれてきた水素、一酸化炭素、二酸化炭素混合ガス中に含まれるガス状のタール分を吸着する。
なお、本発明のタール除去に用いる活性炭７の形状は、粉状、粒状、ペレット状、板状、又はハニカム形状等にしても良いし、他の物質の担体に保持させても良い。
活性炭７のタール除去特性が低下する時は、水蒸気処理や加熱処理等の従来の活性化法を用いることができる。
そして、同じくバイオマスガス化工程Ａから運ばれてきた水蒸気が触媒上に吸着したタール分中の炭素（Ｃ）を攻撃することで、主に先述した式（２）の化学反応が生じ、新たにＨ２及びＣＯが生成されるのである。
【００４２】
その際、活性炭７を含む混合ガス精製工程Ｂの炉内を１５０〜５００℃（４２３〜７７３Ｋ）の温度範囲に加熱しておき、タール分をこの温度範囲で活性炭７に吸着させれば、効率良くタールを除去できる。
因みに、上記のバイオマスガス化工程Ａで生成された水素、一酸化炭素、二酸化炭素は、この混合ガス精製工程Ｂではほとんど反応に関与することなく、活性炭７の空隙を素通りする。
【００４３】
このように、本発明のバイオマスによるジメチルエーテルの製造方法では、バイオマスガス化工程Ａでバイオマスを完全にガス化して、Ｈ２やＣＯ等のみならずタール分、すなわち、比較的高次の炭素鎖を骨格とする高分子有機化合物を含む固形・液状物も気化した状態にして、いわば分子ごとにバラバラの状態にする。
【００４４】
そのため、本発明によれば、従来の技術のように天然ガス等を新たに添加する必要はなく、バイオマスから発生した副産物でありいわば不要なものであったタール分を、更に改質して有効に活用することができるのである。
また、このようにタール分をＨ２やＣＯ等に改質することで、タール分を減らすことができ、種々の装置に付着して目詰まり等を起こすという問題を解消にもつながる。
上述したようにして、混合ガス精製工程Ｂを経てきた混合ガスは、ブースター８により加圧され、貯蔵タンク９及びマスフローコントローラー１０を経てジメチルエーテル合成工程Ｃに流入する。
【００４５】
貯蔵タンク９は、例えば後工程でジメチルエーテルを合成する場合に、バイオマスガス化工程Ａにおける水素、一酸化炭素、二酸化炭素混合ガスの生成速度がジメチルエーテルの合成速度（すなわち水素、一酸化炭素、二酸化炭素混合ガスの消費速度）より大き過ぎる場合等にＨ２・ＣＯ混合ガスを一旦貯蔵するバッファーの役割を果たす。
マスフローコントローラー１０は、使用する環境温度や供給ガス圧の変化影響を受けることなく、電気信号により与えられた設定流量値を維持する役割を果たす。
流量は大別すると「体積流量」と「質量流量」に分けられるが、体積流量計は計測時の環境温度や圧力影響を受けるため、正確な流量計測を行う場合は、温度、圧力の補正を行う必要がある。
一方、質量流量計は、流体の質量を計測するため、環境温度や圧力等の外的影響を受け難く正確な流量計測を行うことができる。
正確な流量を管理する必要がある場合や自動化ラインの構築を行う場合に必要不可欠な機器として、幅広い産業分野で使用されている。
【００４６】
( ジメチルエーテル合成工程Ｃ) 
ジメチルエーテル合成工程Ｃは、石英管３の中にジメチルエーテル合成触媒１１が配置されており、水素、一酸化炭素、二酸化炭素混合ガスをジメチルエーテル合成触媒１１上で反応させてジメチルエーテルを合成する。
ジメチルエーテル合成触媒１１は、粒径が１ｍｍ程度であり、例えば、Ｃｕ／ＺｎＯ触媒やＣｕ／Ｃｒ２Ｏ３／ＺｎＯ触媒等をγ- アルミナ又はゼオライトと混合したものなどが用いられる。
【００４７】
水素、一酸化炭素、二酸化炭素混合ガスは、１〜１０ＭＰａに加圧され、１５０〜４００℃（４２３〜６７３Ｋ）の温度範囲で反応させれば、式（５）〜式（７）の反応が効果的に起こり、ジメチルエーテルの反応効率の観点から好ましい。
このような条件下で、ジメチルエーテル合成触媒１１上で先述した式（５）の化学反応が有効に進行し、水素、一酸化炭素、二酸化炭素が効率良くジメチルエーテルに合成されるのである。
【００４８】
ジメチルエーテル合成触媒１１としては、γ- アルミナ担持Ｃｕ触媒（Ｃｕ／γ- アルミナ触媒）、γ- アルミナ担持Ｃｕ- Ｚｎ触媒（Ｃｕ- Ｚｎ／γ- アルミナ触媒）、γ- アルミナ担持Ｃｕ- Ｐｄ触媒（Ｃｕ- Ｐｄ／γ- アルミナ触媒）、γ- アルミナ担持Ｃｒ- Ｚｎ触媒（Ｃｒ- Ｚｎ／γ- アルミナ触媒）などが好ましく用いられる。
これらの触媒は、従来のγ- アルミナ粉末を用いた含浸法や沈殿法などにより調製される。
また、これらの触媒をゾル・ゲル法（特開２００３−３３４４４５号公報）により調製して、活性成分の分散性を高めることにより触媒特性を更に向上することもできる。
上記触媒を用いてジメチルエーテル合成を効果的に行うにはアルミナを７０ｗｔ％以上含むのが好ましい。
Ｃｕ- Ｚｎ／γ- アルミナ触媒、Ｃｕ- Ｐｄ／γ- アルミナ触媒、Ｃｒ- Ｚｎ／γ- アルミナ触媒では、ＺｎとＣｕの比率、ＰｄとＣｕの比率、ＺｎとＣｒの比率はそれぞれ１／１〜１／１０の範囲であるのが好ましい。
また、ジメチルエーテル合成触媒は、γ- アルミナを２０ｗｔ％以上含むγ- アルミナと上記活性種とを混合した混合触媒を用いても良い。
【００４９】
合成されたジメチルエーテルは常温で気体であるが、水素、一酸化炭素、二酸化炭素混合ガス中のＮ２やＣＨ４（或いは残存する水素、一酸化炭素、二酸化炭素）と比較して沸点が−２４．８℃（２９８Ｋ））と高いため、冷却して容易に分離することができる。
そして、石英管３を通過してきた混合ガスは、バックプレッシャーレギュレータ（背圧弁）１２により流量の制御（オーバーフィード現象の防止）が行われる。
【００５０】
さて、バイオマスガス化行程において、ガス化剤として水蒸気の他に酸素を適量添加することで部分酸化反応が進行する。特にバイオマスガス化反応場におけるバイオマス中の炭素のモル数［Ｃ］に対する酸素のモル数［Ｏ２］の比［Ｏ２］／［Ｃ］が、０．５以下になるように酸素を供給すれば、ガス化率を向上させ、最終的にはジメチルエーテル収率の向上をもたらす。
【００５１】
このように酸素を加えると、バイオマスやタール分中の炭素を燃焼させるため、タール分の発生量を低減させることができる。
また、上記反応式（２）の反応（Ｃ＋Ｈ２Ｏ→Ｈ２＋ＣＯ２）は比較的大きなエンタルピー変化を伴う吸熱反応であるため、上記燃焼により発生した反応熱をこの反応で要求される熱量に充てることができる。
その結果、この反応熱の分だけ反応場を加熱する電気炉等にかかる負担を軽減することができ、電力消費量を低減させることが可能となる。
【００５２】
しかし、その際、酸素をあまり大量に供給すると、バイオマスガス化により生成した水素を燃焼してしまい、ジメチルエーテル合成に必要なガス成分が減少し、最終的にはジメチルエーテル収率は低下する結果となる。
【００５３】
反応場に酸素を供給するのであれば、バイオマスを部分酸化（不完全燃焼）させて一酸化炭素を生成する程度の量の酸素を供給すべきである。
本発明者らの実験によれば、バイオマスガス化反応場におけるバイオマス中の炭素のモル数［Ｃ］に対する酸素のモル数［Ｏ２］の比［Ｏ２］／［Ｃ］が、０．５以下になるように酸素を供給すれば、ガス化率を向上させ、最終的にはジメチルエーテル収率の向上をもたらす。
【００５４】
[ バイオマスによるジメチルエーテルの製造方法の説明（第２実施形態）] 
図２は、バイオマスを熱化学的にガス化するバイオマスガス化工程と、バイオマスのガス化時に生成され、混合ガス中に含まれるタールを除去する混合、バイオマスガス化工程で生成した水素、一酸化炭素、二酸化炭素混合ガス中に含まれるタールを水蒸気改質触媒で水蒸気により水素及び一酸化炭素に改質するタール改質工程と、改質後に混合ガス中に含まれる未反応タールを除去する混合ガス精製工程と、ジメチルエーテル合成工程とからなるバイオマスによるジメチルエーテルの製造方法を示している。
【００５５】
そして、本第２実施形態のバイオマスによるジメチルエーテルの製造方法は、バイオマスをガス化触媒存在下で熱化学的にガス化するバイオマスガス化工程Ａと、バイオマスから生成される水素、一酸化炭素、二酸化炭素混合ガス中に含まれるタールを水蒸気改質触媒上で水蒸気により水素及び一酸化炭素に改質するタール改質工程Ｄと、未反応のタール分を活性炭で除去する混合ガス精製工程Ｂと、精製された水素、一酸化炭素、二酸化炭素混合ガスをジメチルエーテル合成触媒上で反応させてジメチルエーテルを合成するジメチルエーテル合成工程Ｃと、を備えることを特徴とする。
【００５６】
この第２実施形態は、第１実施形態と比べて、バイオマスから生成される水素、一酸化炭素、二酸化炭素混合ガス中に含まれるタールを水蒸気改質触媒上で水蒸気により水素及び一酸化炭素に改質するタール改質工程Ｄがバイオマスガス化工程Ａと混合ガス精製工程Ｂとの間に設けられている点で相違する。
このタール改質工程Ｄのガス化炉２内には水蒸気改質触媒１３が設けられている。
ガス化炉２の温度は８００〜１１００℃（１０７３〜１３７３Ｋ）に保つと、バイオマスの効果的なガス化が促進される。
【００５７】
タール改質工程Ｄで用いる水蒸気改質触媒としては、α- アルミナやＺｒＯ２にＮｉ、Ｒｕ、Ｐｔ或いはＰｄを担持した金属触媒が好ましい。
その際、水蒸気改質触媒によるタール改質工程Ｄを２５０〜８００℃（５２３〜１０７３Ｋ）の温度範囲で行うと、タール分を水蒸気により水素と一酸化炭素に効率良く改質できる観点から、好ましい。
【００５８】
ガス化触媒存在下でのバイオマスのガス化により、又はガス化触媒を用いないでバイオマスをガス化した後で、水蒸気改質触媒１３により生成タールを水素及び一酸化炭素などへ改質することにより、バイオマスは水素、一酸化炭素、二酸化炭素混合ガスへ効果的にガス化される。
しかしその際、ガス化触媒や水蒸気改質触媒１３を用いてガス化を行っても該混合ガスにガス状のタール分が含まれることがある。
従って、バイオマスの熱化学的分解により生成した水素、一酸化炭素、二酸化炭素を含有するガス、すなわち混合ガスは、混合ガス精製工程Ｂに移動することになる。
【００５９】
上述した第２実施形態では、バイオマスガス化工程Ａと、ガス化で生成される混合ガス中に含まれるタール分を水蒸気改質触媒１３により水素及び一酸化炭に改質するタール改質工程Ｄと、により生成された水素、一酸化炭素、二酸化炭素混合ガスを、効果的にジメチルエーテル製造に使用することができる。
また、生成タールが種々の装置に付着して目詰まり等を起こすという問題の解消にもつながり、有機廃棄物の有効利用、一体化ジメチルエーテル製造装置の運転機能、製造コストの観点からも好ましい。
更に、バイオマスからジメチルエーテル以外の他の液体燃料を合成する場合でも、液体燃料合成触媒を用いて１５０〜４００℃（４２３〜６７３Ｋ）の温度範囲で合成されるので、本発明の方法を、バイオマスから他の液体燃料を一体化して製造する場合にも適用することができる。
【００６０】
以上、本発明を説明してきたが、本発明は実施形態にのみ限定されるものではなく、その本質を逸脱しない範囲で、他の種々の更なる変形例が可能であることは言うまでもない。
例えば、図１及び図２の模式図は、本発明のバイオマスのガス化及びジメチルエーテル製造方法を説明するために示したものであるが、本発明を実施するものである限り原理的に同じであれば他の形態のものを採用することは当然可能である。
例えば、図２のタール改質工程Ｄの前のバイオマスガス化工程Ａでガス化触媒を用いてガス化することができるのは当然である。
また、実用化の段階では、装置の一体化、大規模化やそれに伴う形態の変更等が必要であろう。
【実施例】
【００６１】
以下、実施例について述べる。
なお、本発明は、これらの実施例に限定されるものではないことは言うまでもない。
図１及び図２に示した実験装置を用い、バイオマスによるジメチルエーテル合成を行った。
図１は、流通式ダウンドラフトガス化炉（固定床型炉）を有するバイオマスのガス化部と、タールを除去して水素、一酸化炭素、二酸化炭素混合ガスを精製する混合ガス精製部と、ジメチルエーテル合成部からなるバイオマスによるジメチルエーテル合成装置である。
【００６２】
図２は、流通式ダウンドラフトガス化炉（固定床型炉）を有するバイオマスのガス化部と、タールを水素及び一酸化炭素等に改質する固定床を有するタール改質部と、タールを除去して水素、一酸化炭素、二酸化炭素混合ガスを精製する混合ガス精製部（固定床を有する）と、固定床反応炉を有するジメチルエーテル合成部と、からなるバイオマスによるジメチルエーテル合成装置である。
両実験では、先ず混合ガス精製工程Ｂ後の混合ガスを分析し、両ジメチルエーテル合成装置でのタールの除去特性と、バイオマスのジメチルエーテルへの変換率とを評価した。
【００６３】
原料バイオマスはスクリューフィーダーにより供給され、ガス化剤として水蒸気又は水蒸気及び酸素を用いた。
ガス化装置は電気炉によって外部から加熱された。
石英管３の長さは７３０ｍｍ、内径２１ｍｍであった。
タールを除去する混合ガス精製工程Ｂでは粒径１〜２ｍｍの活性炭を厚み８００ｍｍで充填した。
【００６４】
バイオマスガス化工程Ａ後、タール改質工程Ｄ後及び混合ガス精製工程Ｂ後の各ガスは、それぞれ、シリンジでサンプリングを行い、ガスクロマトグラフＴＣＤ（ＧＣ−８Ａ；Ｓｈｉｍａｚｕ，モレキュラシーブ５Ａ，ポラパックＱ）、ＦＩＤ（ＧＣ３５３Ｂ；ＧＬ  Ｓｃｉｅｎｃｅ，Ｓｑｕａｌａｎｅ）を用いて解析した。
また、本発明においてタールは炭素数５以上の化合物と定義し、上記ＦＩＤにおいてタール有無の判断を行った。
【００６５】
〔実施例１〕
図１に示した実験装置で、バイオマスとしては、０．２５〜０．５ｍｍ大に粉砕したコナラ材を、ガス化触媒として１〜２ｍｍ大の顆粒状のＮｉ／α- アルミナ触媒を、そしてキャリアガスはＮ２ガスを用いた。
バイオマスガス化工程Ａにおいては、バイオマスを炭素基準の原料速度：約５．０×１０-３Ｃ- ｍｏｌ・ｍｉｎ-１で供給した。
水蒸気はバイオマス中の炭素のモル数（［Ｃ］）との比［Ｈ２Ｏ］／［Ｃ］が３になる条件で供給した。
【００６６】
大気圧下、８００℃（１０７３Ｋ）でガス化させた。
また、混合ガス精製工程Ｂでは、固定床に比表面積１２００ｍ２／ｇ、平均細孔径０．５ｎｍ、粒径１〜２ｍｍの市販の活性炭を厚み８００ｍｍに充填した。
混合ガス処理中の固定床の活性炭７の温度は３００℃（５７３Ｋ）であった。
混合ガス精製工程Ｂ後の水素、一酸化炭素、二酸化炭素混合ガスは、ブースターで５ＭＰａに加圧し、ジメチルエーテル合成工程Ｃに導入した。
ジメチルエーテル合成工程Ｃでは、粒径１〜２ｍｍの顆粒状のジメチルエーテル合成触媒１１を用いて、２５０℃（５２３Ｋ）、５ＭＰａでジメチルエーテル合成を行った。
ジメチルエーテル合成触媒１１としては、γ- アルミナとＣｕ／ＺｎＯ触媒とを１：２の重量比で混合した顆粒状混合触媒を用いた。
【００６７】
〔実施例２〕
図２に示した実験装置で、バイオマスとしては、０．２５〜０．５ｍｍ大に細粉化したコナラ材を用い、キャリアガスはＮ２ガスを用いた。
バイオマスガス化工程Ａにおいては、バイオマスを炭素基準の原料速度：約５．０×１０-３Ｃ- ｍｏｌ・ｍｉｎ-１で供給した。
水蒸気はバイオマス中の炭素のモル数（［Ｃ］）との比［Ｈ２Ｏ］／［Ｃ］が３になる条件で供給した。
【００６８】
大気圧下、９５０℃（１２２３Ｋ）でガス化させた。タール改質工程Ｄでは、粒径１〜２ｍｍの顆粒状Ｎｉ／α- アルミナ触媒を用いてタール分の水蒸気改質を７００℃（９７３Ｋ）で行った。
また、混合ガス精製工程Ｂでの活性炭７として比表面積１２００ｍ２／ｇ、平均細孔径０．５ｎｍ、粒径１〜２ｍｍの市販の活性炭７を厚み８００ｍｍに充填した。  混合ガス処理中の活性炭温度は３００℃（５７３Ｋ）であった。
混合ガス精製工程後の水素、一酸化炭素、二酸化炭素混合ガスは、ブースターで５ＭＰａに加圧され、ジメチルエーテル合成工程Ｂに送られ、実施例１と同様な条件でジメチルエーテル合成を行った。
【００６９】
〔実施例３〕
バイオマスガス化工程Ａにおいて、更に酸素を供給した以外は実施例２と同様の反応条件で、バイオマスによるジメチルエーテルの合成を行った。
酸素は、バイオマス中の炭素のモル数（［Ｃ］）との比（［Ｏ２］／［Ｃ］）が０．３となるように供給した。
【００７０】
〔実施例４〕
バイオマスガス化工程Ａにおいて、ガス化温度を６００℃（８７３Ｋ）とした点以外は実施例１と同様の反応条件で、バイオマスによるジメチルエーテルの合成を行った。
【００７１】
〔実施例５〕
バイオマスガス化工程Ａにおいて、ガス化温度を８００℃（１０７３Ｋ）とした点以外は実施例２と同様の反応条件で、バイオマスによるジメチルエーテルの合成を行った。
【００７２】
〔比較例１〕
実施例２のガス化方法でバイオマスをガス化して、タール改質工程Ｄを経ないで、実施例２と同様な条件で混合ガス精製とジメチルエーテル合成を行った。
【００７３】
〔比較例２〕
実施例２のガス化方法でバイオマスをガス化して、タール改質工程Ｄ、混合ガス精製工程Ｂを経ないで、ジメチルエーテルの合成を行った。
【００７４】
[ 結果] 
実施例１，２及び比較例１の混合ガス精製工程Ｂ前（比較例２ではジメチルエーテル合成工程Ｃ前）でもタールが検出された。
しかし、実施例１，２，３，４，５の混合ガス精製工程Ｂ後の混合ガス中にはタールは検出されなかった。
一方、バイオマスのジメチルエーテルへの変換率は、比較例１，２に比べて実施例で顕著な向上が見られた。
バイオマス中の炭素基準のジメチルエーテルへの変換率は、以下の通りであった。
実施例１…２０．５％
実施例２…２１．９％
実施例３…２４．２％
実施例４…１５．０％
実施例５…１７．５％
比較例１…１３．４％
比較例２…１０．２％
【００７５】
[評価] 
実施例と比較例の結果は、ガス化触媒、水蒸気改質触媒を用いると、タールの生成は抑えられ、バイオマスのガス化が促進されることを示している。
実施例２と３の比較から、バイオマスガス化剤として適量の酸素の添加はガス化率を向上させ、最終的にはジメチルエーテル収率の向上をもたらした。
また、実施例２と比較例１の比較から、水蒸気改質によるタール改質工程Ｄの導入により、タールから水素及び一酸化炭素に効率的に改質することができ、最終的にはジメチルエーテル収率の向上をもたらした。
実施例２と比較例２の比較から、タール改質工程Ｄ及び混合ガス精製工程Ｂは、ジメチルエーテル収率の顕著な向上のためには重要な単位操作であることを示している。
【産業上の利用可能性】
【００７６】
本発明は、バイオマスを熱的化学的に分解することにより水素及び一酸化炭素を生成し、それらを用いてジメチルエーテルを合成するバイオマスによるジメチルエーテルの製造方法に関するものであるが、その原理を生かせる限り、他の分野、例えば、廃棄物処理分野等にも適用可能であり、その利用分野は広範囲に及ぶものである。
【図面の簡単な説明】
【００７７】
【図１】図１は、バイオマスによるジメチルエーテルの一体化製造法に用いるための、バイオマスガス化工程、混合ガス精製工程、及びジメチルエーテル合成工程を説明するための模式図である。
【図２】図２は、バイオマスによるジメチルエーテルの製造法に用いるための、バイオマスガス化工程、ガス化で生成する混合ガス中のタール改質工程、タール改質後の混合ガス精製工程、及びジメチルエーテル合成工程を説明するための模式図である。
【符号の説明】
【００７８】
Ａ…バイオマスガス化工程
Ｂ…混合ガス精製工程
Ｃ…ジメチルエーテル合成工程
Ｄ…タール改質工程
１…供給手段
２…ガス化炉
３…石英管
４…電気炉
５…目皿
６…熱電対
７…活性炭
８…ブースター
９…貯蔵タンク
１０…マスフローコントローラー
１１…ジメチルエーテル合成触媒
１２…バックプレッシャーレギュレータ
１３…水蒸気改質触媒
【図１】
2005289856.tif 000003
【図２】
2005289856.tif 000004